(57)【特許請求の範囲】
【請求項１】
ゴム製アウタケースと、ゴム製インナケースと、該アウタケースとインナケースの間に挟着される通気非透水シートとを有する通気非透水ユニット；及び
上記通気非透水ユニットを装着する装着貫通穴を有するハウジング；
を有する通気非透水装置であって、
上記アウタケースは、筒状部
と、該筒状部の一端部から径方向外方に突出する抜止フランジ部と、筒状部の他端部から径方向内方に突出する通気穴を有する有孔底板部とを有すること、
上記インナケースは、アウタケースの筒状部内に嵌まり有孔底板部との間に上記通気非透水シートを挟着する、通気穴を有する有孔円筒体からなること、
上記装着貫通穴は、その軸方向の中間部分に、他の部分より小径の抜止内円筒面を備えていること、
上記通気非透水ユニットは、上記アウタケースの有孔底板部が装着貫通穴に臨み、抜止フランジ部がハウジングの外方に位置する方向に向けて上記装着貫通穴に挿入されること、及び
上記アウタケースは、上記通気非透水ユニットを上記装着貫通穴内に挿入する方向に順に、上記抜止内円筒面によって圧縮されない小外径の挿入ガイド小径部と、該抜止内円筒面によって圧縮される大外径の抜止大径部とを備えていること、
を特徴とする通気非透水装置。
【請求項２】
請求項１記載の通気非透水装置において、ハウジングの上記装着貫通穴は、上記抜止内円筒面の奥部側に、該抜止内円筒面より大径の大径内円筒面を備え、上記抜止内円筒面により圧縮された後に奥部に挿入されたアウタケースの上記抜止大径部は、該大径内円筒面に圧縮状態で係合する通気非透水装置。
【請求項３】
請求項２記載の通気非透水装置において、ハウジングの上記装着貫通穴は、上記抜止内円筒面の入口側に、テーパ内円筒面を備え、アウタケースには、このテーパ内円筒面と係合するテーパ外円筒面が備えられている通気非透水装置。
【請求項４】
請求項１ないし３のいずれか１項記載の通気非透水装置において、嵌合関係にあるアウタケースの筒状部の内円筒面とインナケースの外円筒面には、アウタケースの上記抜止大径部と軸方向位置をオーバラップさせて大径内円筒面と該大径内円筒面に嵌合される大径外円筒面が形成されている通気非透水装置。
【請求項５】
請求項１ないし３のいずれか１項記載の通気非透水装置において、上記アウタケースの筒状部の内円筒面には、上記抜止大径部と軸方向位置をオーバーラップさせて大径内円筒面が形成されており、インナケースの外周面には、自由状態でアウタケースの大径内円筒面より大径で該大径内円筒面に嵌合されることで縮径する大径外円筒面が形成されている通気非透水装置。
【請求項６】
請求項４または５記載の通気非透水装置において、上記アウタケースの筒状部の内円筒面には、上記大径内円筒面よりも一端部側に、上記大径内円筒面よりも小径の小径内円筒面が形成されており、上記インナケースには、自由状態で上記小径内円筒面よりも大径で該小径内円筒面に嵌合されることで縮径する小径外円筒面が形成されている通気非透水装置。
【請求項７】
請求項１ないし６のいずれか１項記載の通気非透水装置において、上記インナケースの通気穴は、通気非透水シートに面する側が大径の大径通気穴であり、ハウジングの外空間と面する側が大径通気穴よりも小径の小径通気穴になっている通気非透水装置。
【請求項８】
請求項１ないし７のいずれか１項記載の通気非透水装置において、上記インナケースは、上記アウタケースの筒状部に外空間側から挿入されている通気非透水装置。
【発明の詳細な説明】
【技術分野】
【０００１】
本発明は、通気非透水シート（撥水性微多孔部材）を用いた通気非透水ユニット（アッセンブリ）を装着した通気非透水装置に関する。
【背景技術】
【０００２】
液体を透過せず空気（気体）を透過させる通気非透水シート（膜部材、フィルム部材）は、例えばＰＴＦＥ多孔質膜として知られている。この通気非透水シートは、例えば、通気を要する空間（要通気空間）を画成するハウジングの貫通穴を塞ぐように設け、該要通気空間への液体の浸入を防ぎながら外部空間との気体の流通を許すために用いられている（特許文献１）。
【０００３】
特許文献１は、通気非透水シートをハウジング貫通穴の周縁に固定する場合の特別な構成を提案している。一方、通気非透水シートをハウジングの貫通穴周縁に直接固定することなく、ハウジングとは別のユニットに保持し、同ユニットをハウジング貫通穴に装着（脱着）するタイプの通気非透水装置も知られている。
【先行技術文献】
【特許文献】
【０００４】
【特許文献１】特開２００９−７８８６６号公報
【発明の概要】
【発明が解決しようとする課題】
【０００５】
しかしながら、通気非透水シートをハウジングとは別のユニットに保持し、同ユニットをハウジングの装着貫通穴に装着するタイプの従来の通気非透水装置は、装着作業性と装着後の安定性（非脱落性）のバランスが悪く、装着が容易であるものは脱落しやすく、脱落しにくいものは装着が困難であるという問題があった。
【０００６】
本発明は、通気非透水シートをハウジングとは別のユニットに保持するタイプの通気非透水ユニットであって、アウタケースとインナケースの２つのゴム部品と通気非透水シートで構成され、ハウジングの装着貫通穴へ容易に装着でき、かつ十分な装着力が得られる通気非透水装置を得ることを目的とする。
また、本発明は、ハウジングの装着貫通穴に装着した通気非透水ユニットの構成部品が容易に脱落することのない通気非透水装置を得ることを目的とする。
【課題を解決するための手段】
【０００７】
本発明の通気非透水装置は、ゴム製アウタケースと、ゴム製インナケースと、該アウタケースとインナケースの間に挟着される通気非透水シートとを有する通気非透水ユニット；及び上記通気非透水ユニットを装着する装着貫通穴を有するハウジング；を有する通気非透水装置であって、上記アウタケースは、筒状部と、該筒状部の一端部から径方向外方に突出する抜止フランジ部と、筒状部の他端部から径方向内方に突出する通気穴を有する有孔底板部とを有すること、上記インナケースは、アウタケースの筒状部内に嵌まり有孔底板部との間に上記通気非透水シートを挟着する、通気穴を有する有孔円筒体からなること、上記装着貫通穴は、その軸方向の中間部分に、他の部分より小径の抜止内円筒面を備えていること、上記通気非透水ユニットは、上記アウタケースの有孔底板部が装着貫通穴に臨み、抜止フランジ部がハウジングの外方に位置する方向に向けて上記装着貫通穴に挿入されること、及び上記アウタケースは、上記通気非透水ユニットを上記装着貫通穴内に挿入する方向に順に、上記抜止内円筒面によって圧縮されない小外径の挿入ガイド小径部と、該抜止内円筒面によって圧縮される大外径の抜止大径部とを備えていること、を特徴としている。
【０００８】
上記ハウジングの上記装着貫通穴は、上記抜止内円筒面の奥部側に、該抜止内円筒面より大径の大径内円筒面を備え、上記抜止内円筒面により圧縮された後に奥部に挿入されたアウタケースの上記抜止大径部は、該大径内円筒面に圧縮状態で係合することができる。
【０００９】
上記ハウジングの上記装着貫通穴は、上記抜止内円筒面の入口側にテーパ内円筒面を備え、アウタケースには、このテーパ内円筒面と係合するテーパ外円筒面を備えることが実際的である。
【００１０】
嵌合関係にあるアウタケースの筒状部の内円筒面とインナケースの外円筒面には、アウタケースの上記抜止大径部と軸方向位置をオーバラップさせて大径内円筒面と該大径内円筒面に嵌合する大径外円筒面を形成することができる。
【００１１】
上記アウタケースの筒状部の内円筒面には、上記抜止大径部と軸方向位置をオーバーラップさせて大径内円筒面が形成されており、インナケースの外周面には、自由状態でアウタケースの大径内円筒面より大径で該大径内円筒面に嵌合されることで縮径する大径外円筒面を形成することができる。
【００１２】
上記アウタケースの筒状部の内円筒面には、上記大径内円筒面よりも一端部側に、上記大径内円筒面よりも小径の小径内円筒面が形成されており、上記インナケースには、自由状態で上記小径内円筒面よりも大径で該小径内円筒面に嵌合されることで縮径する小径外円筒面を形成することができる。
【００１３】
上記インナケースの通気穴は、通気非透水シートに面する側が大径の大径通気穴であり、ハウジングの外空間と面する側が大径通気穴よりも小径の小径通気穴とすることができる。
【００１４】
上記インナケースは、上記アウタケースの筒状部に外空間側から挿入されている。
【発明の効果】
【００１５】
本発明の通気非透水装置によれば、２つのゴム部品と通気非透水シートで構成された通気非透水ユニットを、ハウジングの装着貫通穴へ容易に装着できかつ十分な装着力が得られる通気非透水装置を得ることができる。また、構成が単純でゴム部品の成形性、組立性及び通気非透水シートの保持性に優れる。
【図面の簡単な説明】
【００１６】
【図１】（Ａ）と（Ｂ）は、本発明による通気非透水装置の一実施形態を示す、組立状態の通気非透水ユニットを、ハウジングの装着貫通穴への装着する前と装着した後の状態を示す断面図である。
【図２】（Ａ）と（Ｂ）は通気非透水ユニットのアウタケース単体の平面図と縦断面図である。
【図３】（Ａ）、（Ｂ）及び（Ｃ）は、通気非透水ユニットのインナケース単体の平面図、縦断面図及び側面図である。
【発明を実施するための形態】
【００１７】
図１は、通気非透水ユニット１０と、要通気空間Ｘを画成するハウジング２０を示している。通気非透水ユニット１０は、ハウジング２０に形成されている装着貫通穴２１に装着（着脱）される。通気非透水ユニット１０の各構成要素及び装着貫通穴２１は、軸Ｏを中心とする回転対称形状をなしている。
【００１８】
通気非透水ユニット１０は、共にゴム製（例えばフッ素ゴム、Ｈ・ＮＢＲ）のアウタケース１１とインナケース１２、及びこのアウタケース１１とインナケース１２の間に挟着保持される通気非透水シート（フィルム）１３とからなっている。
【００１９】
図２に単体形状を示すアウタケース１１は、筒状部１１ｃと、筒状部１１ｃの一端部（図１、図２（Ｂ）の下端部）から径方向内方に延びる有孔底板部１１ｂと、他端部から径方向外方に延びる抜止フランジ部１１ｄとを有している。有孔底板部１１ｂには、筒状部１１ｃの軸Ｏ上に位置する通気穴１１ａが形成されている。有孔底板部１１ｂは、インナケース１２側の面（図の上面）が軸直交平面であり、シート挟着面１１ｂ１を構成する。筒状部１１ｃの内面には、有孔底板部１１ｂ側から順に、大径内円筒面１１ｃ１と、大径内円筒面１１ｃ１から有孔底板部１１ｂとは反対側の端部に向けて徐々に（滑らかに）縮径するテーパ内円筒面１１ｃ１２と、大径内円筒面１１ｃ１より小径の小径内円筒面１１ｃ２とが形成されている。小径内円筒面１１ｃ２の一端部には、外方に向けて拡径するテーパ内円筒面（ザグリ）１１ｃ６が形成されている。
【００２０】
筒状部１１ｃの外周面には、有孔底板部１１ｂの外周面となる挿入ガイド小径部１１ｃ３が形成され、大径内円筒面１１ｃ１の形成エリアに対応するエリア（軸方向位置をオーバーラップさせたエリア）に抜止大径部１１ｃ４が形成され、小径内円筒面１１ｃ２の形成エリアに対応するエリア（軸方向位置をオーバーラップさせたエリア）に抜止フランジ部１１ｄの外周面に向けて拡径するテーパ外円筒面１１ｃ５が形成されている。
【００２１】
図３に単体形状を示すインナケース１２は、アウタケース１１の通気穴１１ａに対応する通気穴１２ａを軸Ｏ上に有する有孔円筒体１２ｃからなっている。通気穴１２ａは、アウタケース１１の通気穴１１ａに対応する側が大径の大径通気穴１２ａ１であり、通気穴１１ａとは反対側の外空間に面する側が小径の小径通気穴１２ａ２になっている。このインナケース１２の有孔円筒体１２ｃには、大径通気穴１２ａ１側のシート挟着面（アウタケース１１の有孔底板部１１ｂに対向する外端面）１２ｂに、複数の同心の環状突起（断面が半丸形状の突起）１２ｂ１が形成されている。
【００２２】
また、インナケース１２（有孔円筒体１２ｃ）の外周面には、アウタケース１１の大径内円筒面１１ｃ１に対応する大径外円筒面１２ｄと、小径内円筒面１１ｃ２に対応する、テーパ外円筒面１２ｄｅを介して縮径した小径外円筒面１２ｅが形成されている。大径外円筒面１２ｄの自由状態における外径は、大径内円筒面１１ｃ１の自由状態における内径より若干大きく（例えば１０５％〜１１０％程度に）設定され、小径外円筒面１２ｅの自由状態における外径は、小径内円筒面１１ｃ２の自由状態における内径より若干大きく（例えば１０５％〜１１０％程度に）設定されている。また、大径外円筒面１２ｄの自由状態における外径は、小径内円筒面１１ｃ２の自由状態における内径より十分大きく（例えば１１０％〜１２０％程度に）設定されている。図１は、アウタケース１１とインナケース１２の弾性変形前の形状を描いており、オーバラップしている部分は変形代を示している。
【００２３】
また、インナケース１２の有孔円筒体１２ｃには、シート挟着面１２ｂと反対側の表面に、直径方向に延びた溝１２ｆが形成されている。溝１２ｆの幅は小径通気穴１２ａ２と同一である。この溝１２ｆは、インナケース１２の表面に何らかの平坦な部材が当接しても、小径通気穴１２ａ２と外空間の空気路を確保する効果があり、インナケース１２の表裏識別用の形状でもある。
【００２４】
通気非透水シート１３は、例えば商品名ゴアテックス（登録商標）で知られる通気性はあるが透水性はないＰＴＦＥシートである。その通気非透水の性質（レベル、性能）は、用途に応じて種々知られており、選択使用される。
【００２５】
ハウジング２０の装着貫通穴２１には、アウタケース１１の有孔底板部１１ｂと挿入ガイド小径部１１ｃ３の接続部のＲ部を導くテーパ内円筒面２１ａと、アウタケース１１の挿入ガイド小径部１１ｃ３に対応する抜止内円筒面２１ｂと、該抜止内円筒面２１ｂより大径の大径内円筒面２１ｃが形成されている。挿入ガイド小径部１１ｃ３の外径ｄ１は、自由状態において、抜止内円筒面２１ｂの内径Ｄと同一ないし若干小径であり、抜止内円筒面２１ｂに自由に抜き挿しされる。抜止大径部１１ｃ４の外径ｄ２は、自由状態において、ハウジング２０の抜止内円筒面２１ｂの内径Ｄより大径である。つまり、ｄ１≦Ｄ＜ｄ２である。抜止内円筒面２１ｂは、抜止大径部１１ｃ４との間で抜止機能と気密機能を担うので、抜止内円筒面２１ｂの内径は、自由状態において抜止大径部１１ｃ４の外径ｄ２より若干小径とするのがよい。
【００２６】
図示例では、小径内円筒面１１ｃ２は定径の内筒円筒面であるが、有孔底板部１１ｂとは反対側の端部（テーパ内円筒面１１ｃ６）に向けて滑かに拡径するテーパ内円筒面としてもよい。
【００２７】
本実施形態の通気非透水装置は、アウタケース１１、インナケース１２及び通気非透水シート１３を組み立てて通気非透水ユニット１０とした上で、該ユニット１０をハウジング２０の装着貫通穴２１に装着する。
【００２８】
通気非透水ユニット１０を形成するには、通気非透水シート１３をアウタケース１１のシート挟着面１１ｂ１上に載置した状態において、インナケース１２をシート挟着面１２ｂ側からアウタケース１１の筒状部１１ｃに挿入する。この際、大径外円筒面１２ｄは先ずテーパ内円筒面１１ｃ６から圧縮力を受けて縮径し、続いて小径内円筒面１１ｃ２から圧縮力を受けて縮径状態で挿入される。逆にアウタケース１１は、小径内円筒面１１ｃ２が大径外円筒面１２ｄから拡大力を受けて拡径する。インナケース１２の挿入が進むと、大径外円筒面１２ｄは小径内円筒面１１ｃ２を抜けて大径内円筒面１１ｃ１に嵌合し、小径外円筒面１２ｅは小径内円筒面１１ｃ２と嵌合する。大径外円筒面１２ｄと大径内円筒面１１ｃ１とは互いに圧縮力と拡大力を受けてやや縮径と拡径した密着状態で嵌合する。小径外円筒面１２ｅと小径内円筒面１１ｃ２は、互いに圧縮力と拡大力を受けてやや縮径と拡径した密着状態で嵌合する。
【００２９】
さらにインナケース１２とアウタケース１１は、大径外円筒面１２ｄと小径外円筒面（定径外円筒面）１２ｅ間のテーパ外円筒面１２ｄｅと大径内円筒面１１ｃ１と小径内円筒面１１ｃ２間のテーパ内円筒面１１ｃ１２とによるクサビ作用により、シート挟着面１２ｂ、環状突起１２ｂ１とシート挟着面１１ｂ１の間に通気非透水シート１３を弾性的に挟圧した状態に保持される。
【００３０】
図１は、アウタケース１１、インナケース１２、通気非透水シート１３を組み立てた状態の通気非透水ユニット１０を示している。この組立状態では、通気非透水シート１３がアウタケース１１のシート挟着面１１ｂ１とインナケース１２のシート挟着面１２ｂ（環状突起１２ｂ１）との間に挟着され、環状突起１２ｂ１が弾性変形して通気非透水シート１３を保持する。なお、環状突起１２ｂ１の数は、図示例では３本であるが、その数及び有無は任意である。
【００３１】
また、インナケース１２の大径外円筒面１２ｄによってアウタケース１１大径内円筒面１１ｃ１が径方向外方に押されて筒状部１１ｃが弾性変形により拡径し、アウタケース１１とインナケース１２（大径内円筒面１１ｃ１と大径外円筒面１２ｄ）の係合力が高まって抜止作用が向上している。このとき、抜止大径部１１ｃ４は、筒状部１１ｃの拡径に伴って外径を拡大している。
【００３２】
以上のように組み立てられた通気非透水ユニット１０は、アウタケース１１の有孔底板部１１ｂが装着貫通穴２１に臨み、抜止フランジ部１１ｄがハウジング２０の外方に位置する方向に向けて、有孔底板部１１ｂから装着貫通穴２１に挿入される。挿入ガイド小径部１１ｃ３（有孔底板部１１ｂ）の外径ｄ１が装着貫通穴２１の抜止内円筒面２１ｂの内径Ｄより小さく、有孔底板部１１ｂが圧縮されることがないので、抜止大径部１１ｃ４が抜止内円筒面２１ｂに当接するまでは抵抗なく挿入することができ、有孔底板部１１ｂと抜止内円筒面２１ｂの嵌合関係により通気非透水ユニット１０は安定した状態で装着貫通穴２１内に保持される。
【００３３】
アウタケース１１は、挿入ガイド小径部１１ｃ３が抜止内円筒面２１ｂに挿入された後、抜止大径部１１ｃ４の傾斜部がテーパ内円筒面２１ａに接触し、抜止大径部１１ｃ４がテーパ内円筒面２１ａにより徐々に圧縮され、縮径しながら進む。抜止大径部１１ｃ４は、やがて平坦部が抜止内円筒面２１ｂに接触し、圧縮された状態で抜止内円筒面２１ｂを通過し、大径内円筒面２１ｃに至る。抜止大径部１１ｃ４は、大径内円筒面２１ｃ内において自然状態に拡径しようとする。大径内円筒面２１ｃの内径は、抜止大径部１１ｃ４の外径ｄ１よりもやや小さいので、抜止大径部１１ｃ４は、大径内円筒面２１ｃに接触し、やや圧縮された状態に保持される。また、このとき、アウタケース１１のテーパ外円筒面１１ｃ５がハウジング２０のテーパ内円筒面２１ａに弾性的に接触している。つまりアウタケース１１は、抜止大径部１１ｃ４とテーパ外円筒面１１ｃ５とが抜止内円筒面２１ｂを弾性的に挟着保持した装着状態にある。この装着状態により、通気非透水ユニット１０の装着貫通穴２１内での位置が定まる。
【００３４】
従って、図１に示すように、通気非透水ユニット１０をハウジング２０の装着貫通穴２１に嵌めた状態では、アウタケース１１の挿入ガイド小径部１１ｃ３には殆ど圧縮力は作用せず、抜止大径部１１ｃ４及びテーパ外円筒面１１ｃ５と抜止内円筒面２１ｂの嵌合関係によって、通気非透水ユニット１０の装着貫通穴２１内での位置が定まる。同時に抜止大径部１１ｃ４が大径内円筒面２１ｃに弾性的拡径力によって密着し、さらに抜止大径部１１ｃ４及びテーパ外円筒面１１ｃ５と抜止内円筒面２１ｂの密着により、装着貫通穴２１とアウタケース１１との気密が図られる。ハウジング２０内方の要通気空間Ｘとハウジング２０外方の外空間とは、通気穴１１ａ、通気非透水シート１３及び通気穴１２ａを介して連通している。
【００３５】
本実施形態の通気非透水ユニット１０は、アウタケース１１が筒状部１１ｃの要通気環境Ｘ側に有孔底板部１１ｂを有し、インナケース１２がアウタケース１１の筒状部１１ｃに外空間（要通気環境Ｘと反対）側から挿入されている。この通気非透水ユニット１０は、アウタケース１１の有孔底板部１１ｂがハウジング２０の装着貫通穴２１に臨み、抜止フランジ部１１ｄがハウジング２０の外方（外空間）に位置する方向に向けて、有孔底板部１１ｂから装着貫通穴２１に挿入されるので、ハウジング２０に装着する際にインナケース１２が要通気空間Ｘ側に脱落することがない。また本実施形態の通気非透水ユニット１０は、ハウジング２０の装着貫通穴２１に装着された状態において、仮にインナケース１２がアウタケース１１から抜けるとしても、インナケース１２は外空間側に抜け落ちるので、要通気空間Ｘ側に悪影響を及ぼすことがない。
【００３６】
本実施形態の通気非透水ユニット１０の通気穴１２ａは、通気非透水シート１３と対向する側が大径の大径通気穴１２ａ１であり、外空間に面する側が小径の小径通気穴１２ａ２なので、通気非透水シート１３の有効面積を大径通気穴１２ａ１により広く確保しつつ、外空間から水が通気穴１２ａに侵入するのを防止する防水効果が向上する。
【００３７】
以上の実施形態において、アウタケース１１とインナケース１２は同一のゴム材料としたが、例えば内側のインナケース１２を、そのゴム硬度がアウタケース１１のゴム硬度より高い（硬い）材料から構成することで、アウタケース１１とインナケース１２の結合強度を高めることができる。
【符号の説明】
【００３８】
１０  通気非透水ユニット
１１  アウタケース
１１ａ  通気穴
１１ｂ  有孔底板部
１１ｂ１  シート挟着面
１１ｃ  筒状部
１１ｃ１  大径内円筒面
１１ｃ１２  テーパ内円筒面
１１ｃ２  小径内円筒面
１１ｃ３  挿入ガイド小径部
１１ｃ４  抜止大径部
１１ｃ５  テーパ外円筒面
１１ｃ６  テーパ内円筒面
１１ｄ  抜止フランジ部
１２  インナケース
１２ａ  通気穴
１２ａ１  大径通気穴
１２ａ２  小径通気穴
１２ｂ  シート挟着面
１２ｂ１  環状突起
１２ｃ  有孔円筒体
１２ｄ  大径外円筒面
１２ｄｅ  テーパ外円筒面
１２ｅ  小径外円筒面（定径外円筒面）
１２ｆ  溝
１３  通気非透水シート
２０  ハウジング
２１  装着貫通穴
２１ａ  テーパ内円筒面
２１ｂ  抜止内円筒面
２１ｃ  大径内円筒面
Ｏ  軸
Ｘ  要通気空間
【図１】
0005944955.tif 000002
【図２】
0005944955.tif 000003
【図３】
0005944955.tif 000004